(57)【要約】【課題】ライトによって作業箇所が好適に照明され、又ライトの耐久性が維持される電動工具を提供する。【解決手段】電動工具の一例であるインパクトドライバ１は、モータ１１と、モータ１１により駆動される遊星歯車機構１２、スピンドル１３及びハンマ１６と、遊星歯車機構１２、スピンドル１３及びハンマ１６により駆動されるアンビル１７と、遊星歯車機構１２、スピンドル１３及びハンマ１６が入るハンマケース２１と、ハンマケース２１の外方にそれぞれ配置されるライト１３０Ａ，１３０Ｂと、ライト１３０Ａ，１３０Ｂを保持し、ハンマケース２１の外側に配置されるライト保持部材１４０と、を備えている。【選択図】図５
2020124792.tif 000002
【特許請求の範囲】
【請求項１】
モータと、
前記モータにより駆動される動力伝達部と、
前記動力伝達部により駆動される先端工具保持部と、
前記動力伝達部の少なくとも一部が入るケースと、
前記ケースの外方にそれぞれ配置される第１のライト及び第２のライトと、
前記第１のライト及び前記第２のライトを保持し、前記ケースの外側に配置されるライト保持部材と、
を備えている
ことを特徴とする電動工具。
【請求項２】
前記ライト保持部材は、リング状である
ことを特徴とする請求項１に記載の電動工具。
【請求項３】
前記第１のライト及び前記第２のライトの少なくとも一方は、リード線であるライト線と接続されており、
前記ライト保持部材は、前記ライト線の少なくとも一部を保持する
ことを特徴とする請求項１又は請求項２に記載の電動工具。
【請求項４】
前記第１のライトは、前記ケースの左方に配置され、
前記第２のライトは、前記ケースの右方に配置される
ことを特徴とする請求項１ないし請求項３の何れかに記載の電動工具。
【請求項５】
前記第１のライト及び前記第２のライトの少なくとも一方は、ＬＥＤを有している
ことを特徴とする請求項１ないし請求項４の何れかに記載の電動工具。
【発明の詳細な説明】
【技術分野】
【０００１】
本発明は、インパクトドライバ等の電動工具に関する。
【背景技術】
【０００２】
特開２０１６−１０７３７５号公報（特許文献１）に示されるように、ハンマによりアンビルが打撃されるインパクトドライバが知られている。
このインパクトドライバにおいて、打撃機構を収めるハンマケースの下方でスイッチを操作するトリガの上方には、アンビルの前方を照射するライトであるＬＥＤが斜め上向きに設けられている。
【先行技術文献】
【特許文献】
【０００３】
【特許文献１】特開２０１６−１０７３７５号公報
【発明の概要】
【発明が解決しようとする課題】
【０００４】
このようなＬＥＤは、ハンマケース等の工具本体における例えば上下左右の面に配置することが考えられる。
しかし、インパクトドライバのような打撃機構を備えるものでは、工具本体の振動が直接ＬＥＤに伝わるため、振動によってＬＥＤが故障したり断線したりするおそれが生じてしまう。
そこで、本発明の主な目的は、ライトによって作業箇所が好適に照明され、又ライトの耐久性が維持される電動工具を提供することである。
【課題を解決するための手段】
【０００５】
上記目的を達成するために、請求項１に記載の発明は、モータと、前記モータにより駆動される動力伝達部と、前記動力伝達部により駆動される先端工具保持部と、前記動力伝達部の少なくとも一部が入るケースと、前記ケースの外方にそれぞれ配置される第１のライト及び第２のライトと、前記第１のライト及び前記第２のライトを保持し、前記ケースの外側に配置されるライト保持部材と、を備えていることを特徴とするものである。
請求項２に記載の発明は、上記発明において、前記ライト保持部材は、リング状であることを特徴とするものである。
請求項３に記載の発明は、上記発明において、前記第１のライト及び前記第２のライトの少なくとも一方は、リード線であるライト線と接続されており、前記ライト保持部材は、前記ライト線の少なくとも一部を保持することを特徴とするものである。
請求項４に記載の発明は、上記発明において、前記第１のライトは、前記ケースの左方に配置され、前記第２のライトは、前記ケースの右方に配置されることを特徴とするものである。
請求項５に記載の発明は、上記発明において、前記第１のライト及び前記第２のライトの少なくとも一方は、ＬＥＤを有していることを特徴とするものである。
【発明の効果】
【０００６】
本発明の主な効果は、ライトによって作業箇所が好適に照明され、又ライトの耐久性が維持される電動工具が提供されることである。
【図面の簡単な説明】
【０００７】
【図１】本発明に係るインパクトドライバの前面図である。
【図２】図１の開蓋右側面図である。
【図３】図１の中央縦断面図である。
【図４】図２のＡ−Ａ線断面図である。
【図５】図３のＢ−Ｂ線断面図である。
【図６】図２のＣ−Ｃ線断面図である。
【図７】図３のＤ部拡大図である。
【図８】図２のハンマケース及び周辺部材の一部分解斜視図である。
【図９】視点の方向を変えた図８同様図である。
【発明を実施するための形態】
【０００８】
以下、本発明の実施の形態及びその変更例が、適宜図面に基づいて説明される。
当該形態及び変更例における前後上下左右は、説明の便宜上定めたものであり、作業の状況及び移動する部材の状態の少なくとも一方等により変化することがある。
尚、本発明は、下記の形態及び変更例に限定されない。
【０００９】
図１は、電動工具の一例であって回転打撃工具の一例である、本発明の第１形態に係るインパクトドライバ１の前面図である。図２は、インパクトドライバ１の開蓋右側面図である。図３は、インパクトドライバ１の中央縦断面図である。図４は、図２のＡ−Ａ線断面である。図５は、図３のＢ−Ｂ線断面図である。図６は、図２のＣ−Ｃ線断面図である。図７は、図３のＤ部拡大図である。尚、図２及び図３において、右側がインパクトドライバ１の前方となる。又、図１において、左側がインパクトドライバ１の右方となる。
インパクトドライバ１は、各種の部材を直接あるいは間接的に保持するハウジング２を有している。
インパクトドライバ１は、中心軸を前後方向とする筒状の本体部４と、本体部４の下部から下方へ突出するように形成されたグリップ部６と、を有する。
グリップ部６は、作業者が把持する部分であり、グリップ部６の基端部には、作業者により指先で引く操作が可能であるトリガ８が設けられている。トリガ８は、スイッチ本体部９から突出している。
【００１０】
インパクトドライバ１の本体部４には、後側から順に、ファン１０、モータ１１、減速機構である遊星歯車機構１２、スピンドル１３、弾性部材であるコイル状のスプリング１４、ハンマ１６、及び先端工具保持部としてのアンビル１７が、同軸に入れられ（配置され）ている。
尚、各種のハウジング及びケースにおける各種の部材の納入（配置）は、部材がハウジングあるいはケースに完全に入る場合の他、部材の一部がハウジングあるいはケースに入っており、残りの一部がハウジングあるいはケースから突出あるいは露出している場合も適宜含んでいるものとする。
【００１１】
モータ１１は、インパクトドライバ１の駆動源であり、その回転は、遊星歯車機構１２により減速されてスピンドル１３に伝達される。そして、スピンドル１３の回転力はハンマ１６等（打撃機構部）によって回転打撃力（回転力及び打撃力の少なくとも一方）に適宜変換され、スピンドル１３とハンマ１６の間に渡されるスプリング１４の緩衝を適宜受けつつ、出力軸としてのアンビル１７に伝えられる。アンビル１７は、回転打撃力を受けて軸周りに回転可能な部材であり、図示しないビット（先端工具）を受け入れる。当該ビットとして、ドライバを用いることができ、インパクトドライバ１は、ネジ締めに用いることができる。
【００１２】
ハウジング２は、半割状の左モータハウジング１８Ｌ及び右モータハウジング１８Ｒと、リヤカバー２０と、ケースとしての筒状のハンマケース２１を有している。左モータハウジング１８Ｌは、複数のネジボス部２２を有しており、右モータハウジング１８Ｒは、各ネジボス部２２に対応するネジ孔を有している。左モータハウジング１８Ｌ及び右モータハウジング１８Ｒは、各ネジ孔及び対応するネジボス部２２に入るネジ２３により合わせられ、モータハウジング１８となっている。
モータハウジング１８は、本体部４後部（後端部を除く）からグリップ部６に亘っている。モータハウジング１８における、本体部４の後端部に隣接する部分は、開口部となっている。
リヤカバー２０は、上下左右に広がっており、モータハウジング１８における後端開口部を覆う（本体部４の後端部に配置される）状態で、前後方向に延びる図示されないネジにより止められている。
リヤカバー２０（本体部４外郭部分）の後部の両側には、上下に並びそれぞれ前後に延びる複数の排気口２４が設けられている。又、各排気口２４の前方であって、モータハウジング１８の後部（本体部４外郭部分）におけるモータ１１と遊星歯車機構１２との間の径方向外方に位置する部分には、図示されない吸気口が設けられている。
ハンマケース２１は、前部が後部に対して縮径した釣鐘状で金属製の部材であり、本体部４の前部の外郭を形成している。ハンマケース２１の後部は、本体部４におけるモータハウジング１８の前端部に形成された開口部内に入っている。ハンマケース２１の下部であって前後方向における中央部には、前後に延び周囲より下方に突出する突起２１ａが設けられている。突起２１ａは、モータハウジング１８の前端開口部の内面から内方へ突出するように形成された押さえリブ（図示略）によって押さえられており、ハンマケース２１は、モータハウジング１８に対して回り止めされている。又、ハンマケース２１の左右には、外面から外方（左方又は右方）へ突出する突条２１ｂが設けられている。突条２１ｂは、側面視が前後に延びる長方形状であり、上辺部、下辺部及び前辺部以外の外面部分が窪んでいる。
ハンマケース２１の中央部外側には、樹脂製で透光性を有する筒状のハンマケースカバー２５が配置されている。ハンマケースカバー２５の上部には、他の部分に対して後方に突出する延設部２５ａが設けられている。又、延設部２５ａの左下及び右下には、他の部分に対して後方に突出し更に後端部で外方に折り曲げられる突出片２５ｂが設けられている。各突出片２５ｂは、モータハウジング１８の前端開口部とハンマケース２１との間に挟み込まれる。
ハンマケース２１の前端部外側には、弾性体で形成されたリング状のバンパ２６が配置されている。
【００１３】
本体部４とグリップ部６の境界領域であって、トリガ８の後方には、モータ１１の回転方向を切替えるスイッチである正逆切替レバー２７が、ハウジング２を左右に貫通する状態で左右へスライド可能に設けられている。
正逆切替レバー２７の前方には、打撃モードを切替可能な切替スイッチ２８が設けられている。切替スイッチ２８は、切替スイッチ本体部２８ａと、その前部に配置されたボタン部２８ｂとを有しており、ボタン部２８ｂが前方へ露出する状態で、ハウジング２（モータハウジング１８の前端開口部とハンマケース２１との間）に保持されている。ボタン部２８ｂは、グリップ部６を把持する作業者の手指によって押し操作可能であり、ここでは、当該押し操作の繰り返しにより、打撃力が「弱」「中」「強」「最強」の４段階に切り替わるようになっている。
【００１４】
グリップ部６の下端部は、その上部に対して外方へ広がるバッテリ取付部２９となっており、バッテリ取付部２９の下方には、バッテリボタン３０により着脱可能であるバッテリ３１が保持されている。バッテリ３１は、１８Ｖ（ボルト）のリチウムイオンバッテリであって、樹脂製のバッテリケース内に、図示しないセルを１０個内包するものである。セルは、軸方向に長い円柱状であり、左右方向を向いている。
バッテリ取付部２９の前上部（グリップ部６の広がった下部の前側上面部）には、操作パネル３２が設けられている。
バッテリ取付部２９の内部には、制御回路基板３３ａを含むコントローラ３３が入れられている。制御回路基板３３ａには、モータ１１の変速を行うためのスイッチング素子が搭載されている。
バッテリ３１は、上面にバッテリ端子部（図示略）を有しており、前上部に隆起部３４を有している。バッテリ３１は、バッテリ取付部２９の前から後方へスライドさせることで装着される。装着時、隆起部３４の後部がバッテリ取付部２９の前部に当たり、バッテリ端子部がバッテリ取付部２９に組み込まれたターミナル（図示略）に接触する。又、装着時、図示されない弾性部材により上方に付勢され、バッテリ３１の他の部分の上面から突出したバッテリ爪３６が、バッテリ取付部２９下前部に設けられた上方に窪むバッテリ取付凹部３７に入る。一方、バッテリ３１が外される場合、バッテリ爪３６の弾性部材とつながるバッテリボタン３０が下方に引かれ、バッテリ爪３６がバッテリ取付凹部３７から外れた状態で、バッテリ３１が前方にスライドされる。
ハウジング２の下端部であって、バッテリ取付部２９の上部の左右には、フック３８を取付可能であるフック用溝（図示略）が設けられている。一方のフック用溝は、左モータハウジング１８Ｌにおいて形成されており、他方のフック用溝は、右モータハウジング１８Ｒにおいて形成されている。フック３８は、ネジ３８Ｓにより取付けられている。
又、バッテリ取付部２９の後部には、ループ状のストラップ４０が取付けられている。ストラップ４０の下端部は、ループ状の掛け部４０ａとなっており、ネジボス部２２に掛けられている。
【００１５】
モータ１１は、ブラシレスモータ（ブラシレスＤＣモータ）であり、モータハウジング１８（本体部４後部）内に入れられている。モータ１１は、モータハウジング１８内において内方に立てられたリブ内に配置される円筒状のステータ４１と、ステータ４１の内側に配置されるロータ４２を備えている（インナーロータ）。
ステータ４１は、軸方向が前後方向であり内方に突出する複数（６個）のティースを有する円筒状の固定子鉄心４４と、固定子鉄心４４の前後に設けられる前絶縁部材４６及び後絶縁部材４８と、前絶縁部材４６及び後絶縁部材４８を介して固定子鉄心４４のティースにそれぞれ巻かれる複数（６個）の駆動コイル５０とを有する。又、前絶縁部材４６には、センサ基板５２が、複数のネジ５３で固定されている。センサ基板５２の後面には、３個の図示されない磁気センサが固定されている。更に、前絶縁部材４６の後面周縁には、各駆動コイル５０を所定の態様で電気的に接続する接点としてのコイル接続部５４が設けられている。コイル接続部５４には、図示されないリード線（電源線，ここでは三相に係る３本）の一端が接続されており、リード線はグリップ部６を通過して、その他端は、コントローラ３３（制御回路基板３３ａ）に接続されている。又、センサ基板５２とコントローラ３３（制御回路基板３３ａ）とが、グリップ部６を通過する図示されないリード線（信号線，ここでは６本）により、電気的に接続されている。
ロータ４２は、前後に延びる円柱状の回転軸（ロータ軸）であるモータ軸５６と、モータ軸５６の外側に配置されており、筒状で周方向に極性を交互に変えた永久磁石６０と、永久磁石６０の前側でモータ軸５６の周囲に配置されるリング状のセンサ用永久磁石６２とを有する。モータ軸５６の前後方向における中央部は、他の部分より大径となっており、その大径部の周囲に、永久磁石６０が配置されて、大径部は回転子鉄心の役割を担っている。センサ用永久磁石６２は、永久磁石６０を固定することで永久磁石６０のモータ軸５６からの脱落防止を図っている。尚、各永久磁石６０及びセンサ用永久磁石６２は、一体で構成することにより、４個の板状の永久磁石にすることも可能である。
又、センサ用永久磁石６２の前方に、モータ軸５６の前部の周りに配置されてモータ軸５６を軸回りで回転可能に支持するモータ前軸受６４が設けられている。モータ前軸受６４は、ベアリングリテーナ６５の後部の開口部内において取付けられている。モータ前軸受６４の前側であって、モータ軸５６の先端部には、ピニオンギヤ６６が形成されている。他方、モータ軸５６の後端部は、モータ後軸受６７によって軸回りで回転可能に支持されている。モータ後軸受６７は、リヤカバー２０の上下左右方向における中央部の前側において保持されている。
【００１６】
モータ軸５６の後部周辺には、ファン１０が配置されている。ファン１０は、複数枚の羽根を有する遠心ファンであり、ファンスリーブ６８を介してモータ軸５６に一体に固定されている。
ファン１０の径方向外方には、各排気口２４が位置している。
尚、ファン１０又はその一部は、モータ１１の構成要素とすることも可能である。
【００１７】
遊星歯車機構１２は、内歯を有するリング状のインターナルギヤ７０と、インターナルギヤ７０に噛み合う外歯を有する複数（３個）の遊星歯車７２と、各遊星歯車７２の軸である各ピン７４を含む。
インターナルギヤ７０は、ベアリングリテーナ６５の拡径された前部開口部内において回転不能に取付けられている。ベアリングリテーナ６５の前部開口部は、ハンマケース２１の後端開口部の径方向内側に嵌まっている。
各遊星歯車７２は、インターナルギヤ７０の径方向内方に配置される。
各ピン７４は、前後方向を軸方向とする円柱状である。
各遊星歯車７２は、対応するピン７４の周りで回転可能である状態で、ピン７４に支持される。
【００１８】
スピンドル１３は、その後部において、中空のキャリア部８０を備えている。キャリア部８０の前端部及び後端部は、スピンドル１３の他の部分に対して、外方（上下左右）に突出しており、径が他の部分より大きくなっている。キャリア部８０の前面には、スプリング１４のリング状に形成された後端が当たっている。又、スピンドル１３の後端部は、キャリア部８０の後面から後方に円筒状に突出した状態となっており、その外側には、ベアリングリテーナ６５の中央部内に取付けられたスピンドル軸受８４が配置されていて、スピンドル１３を回転可能に支えている。
ベアリングリテーナ６５は、後部の開口部と、これより径の大きい中央部の開口部と、更に径の大きい前部の開口部を有しており、これら開口部はつながっている。ベアリングリテーナ６５の中央部と後部の間には、モータハウジング１８の内部において径方向内方にリング状に突出するように形成されたハウジングリブ８６が入っている。又、ベアリングリテーナ６５は、中央部と前部の間において、径方向外方へ突出するリテーナリブ８８を備えており、リテーナリブ８８は、ハンマケース２１の後端部とハウジングリブ８６の前面とで挟まれている。
スピンドル軸受８４の内径は、ベアリングリテーナ６５により保持されるモータ前軸受６４の内径より大きくなっている。又、スピンドル軸受８４の後面は、モータ前軸受６４の前面より前にあり、スピンドル軸受８４とモータ前軸受６４は前後方向において互いにずれた状態で配置されている。よって、スピンドル１３からスピンドル軸受８４に伝わった力が、モータ前軸受６４に伝わり難くなり、モータ前軸受６４及びモータ１１が長寿命になる。
スピンドル１３の内部には、内孔９０が開けられている。内孔９０は、スピンドル１３を貫いており、前部は細く、後部は前部より太くなっている。内孔９０の後部は、キャリア部８０の中空部とつながっている。内孔９０の後部には、ピニオンギヤ６６が入っており、キャリア部８０の内部には、各ピン７４が固定されていて対応する遊星歯車７２が配置されており、ピニオンギヤ６６と各遊星歯車７２が噛み合っている。
【００１９】
ハンマ１６は、後面から前方へ筒状に窪む窪み９１を有しており、窪み９１には、スプリング１４の前部が入っていて、窪み９１の底（前端）には、複数のスチールボール９２及び１個のハンマワッシャ９４を介して、スプリング１４のリング状に形成された前端が配置されている。
ハンマ１６とスピンドル１３の前部との間には、打撃時にハンマ１６を主に前後方向に案内する複数（２個）のハンマ駆動用ボール９６が介装されている。
【００２０】
ハンマ１６前側のアンビル１７は、前部の周囲において、チャック１０２を備える。
アンビル１７は、放射方向にそれぞれ延びる複数（２箇所）の延設部１０４を、後部に有している。
各延設部１０４の前側には、アンビル１７を軸周りに回転自在に支持する複数（２個）のアンビル軸受１０６が、ワッシャ１０７を挟んで前後に設けられている。アンビル軸受１０６は、ハンマケース２１の前端部内壁に取付けられる。
又、アンビル１７の後端部中央であって、各延設部１０４の径方向内方には、後面から前方へ開けられた後穴が設けられており、その後穴には、スピンドル１３の前端部に形成された凸部１０８が入っている。スピンドル１３の回転は、ハンマ１６を介してアンビル１７に伝達され、よってハンマ１６、スピンドル１３及び遊星歯車機構１２は、アンビル１７に動力を伝達する動力伝達部を構成する。動力伝達部は、ハンマケース２１内に入れられている。動力伝達部における主な動力伝達方向は、前後方向を軸とした回転方向である。
アンビル１７の内部には、アンビル１７の前端から後方へ向かうアンビル穴１１０が開けられている。アンビル穴１１０は、図示しないビットを受け入れる。
【００２１】
チャック１０２は、アンビル穴１１０に受け入れたビットを固定する。
チャック１０２は、チャックスリーブ１１２と、チャックスプリング１１４と、チャックワッシャ１１６と、チャックスプリング止め１１７と、複数（２個）のチャックボール１１８を有する。
チャックスリーブ１１２は、円筒状の部材であり、アンビル１７の前部外径より大きい内径を有する、前端から中央部に亘り開けられたチャック前穴部１２０と、アンビル１７の前部外径と同等の内径を有し、チャック前穴部１２０に対して径方向内方に突出するチャックボール押さえ部１２２を有する。
チャックスプリング１１４は、チャック前穴部１２０に入れられている。
チャックワッシャ１１６は、チャック前穴部１２０前端部内であってチャックスプリング１１４の前側に配置されている。
チャックスプリング止め１１７は、“Ｃ”字状の部材であり、チャックワッシャ１１６の前側に配置された状態で、アンビル１７の先端部外面に固定されている。チャックスプリング止め１１７は、チャックワッシャ１１６を介して、チャックスプリング１１４をチャック前穴部１２０内に収めている。
各チャックボール１１８は、アンビル穴１１０の径方向に延びる部分内で並ぶように配置され、アンビル穴１１０内に露出していると共に、チャックスリーブ１１２のチャックボール押さえ部１２２に接触可能である。
チャックスリーブ１１２が、チャックスプリング１１４の弾性力を受けつつ前に引かれると、チャックボール押さえ部１２２が各チャックボール１１８から離れて、各チャックボール１１８が径方向外側に大きく移動可能になり、ビット挿入時に各チャックボール１１８がアンビル穴１１０内から退いて、ビットがアンビル穴１１０に挿入可能となり、ビットが取付可能となる。そして、ビットの後部が入れられた状態で、チャックスリーブ１１２を後方に戻すと、チャックボール押さえ部１２２が各チャックボール１１８に接触して各チャックボール１１８を内方に押し、ビットを押さえてアンビル１７に対して固定する。
【００２２】
そして、図８及び図９にも示されるように、本体部４の左右には、光を照射可能なライト１３０Ａ，１３０Ｂが配置されている。
第１のライトとしての左のライト１３０Ａは、前面視が長方形であるチップ状のＬＥＤ１３２を搭載した前面視長方形のＬＥＤ基板１３４と、ＬＥＤ基板１３４を覆い透光性を有する四角箱状のライトケース１３６Ａと、を有する。
同様に、第２のライトとしての右のライト１３０Ｂは、ＬＥＤ１３２を搭載したＬＥＤ基板１３４と、ライトケース１３６Ａと左右対称状であるライトケース１３６Ｂと、を有する。
【００２３】
ライト１３０Ａ，１３０Ｂは、弾性体としての樹脂又はゴムで形成されたリング状のライト保持部材１４０に保持されている。
ライト保持部材１４０は、上部の上連絡部１４１と、連絡部１４１を下部に対して後退させるための前下がりの左右の斜行部１４２Ａ，１４２Ｂと、斜行部１４２Ａ，１４２Ｂの下側であってライト保持部材１４０の左右に配置されたライト取付部１４４Ａ，１４４Ｂと、ライト取付部１４４Ａ，１４４Ｂを結びライト保持部材１４０の下部を構成する下連絡部１４６と、を有する。尚、斜行部１４２Ａ，１４２Ｂが省略される等、ライト保持部材１４０の形状は様々に変更可能である。
ライト取付部１４４Ａ，１４４Ｂは、上下前後に広がる平面状の基部の前部外側に形成された、外方に延びる上面部、下方に延びる外面部及び外面部下端から内方へ折り曲げられた折り曲げ部を有する前後開放箱状のアーム部１５０Ａ，１５０Ｂと、当該基部の後中央部において他の後辺に対して前方に凹む凹部１５１Ａ，１５１Ｂと、を有する。凹部１５１Ａ，１５１Ｂの少なくとも一方は、省略されても良い。
下連絡部１４６には、周方向に延びるスリット１５２が、複数（２本）、前後に並ぶように設けられている。スリット１５２は、その横断面に係る図７に示されるように、径方向外側の開口部（図７では下の開口部）の大きさが径方向内側の開口部（図７では上の開口部）の大きさに比べて大きくなっている。尚、スリット１５２は、外面あるいは内面から径方向内方へ窪む溝であっても良い。
【００２４】
ライト１３０Ａは、ライトケース１３６Ａがライト取付部１４４Ａのアーム部１５０Ａ内に入ることによって、ライト保持部材１４０に保持される。尚、ライトケース１３６Ａとアーム部１５０Ａとが接着されても良い。アーム部１５０Ａが他の形状とされ、あるいは省略されても良い。
同様に、ライト１３０Ｂは、ライトケース１３６Ｂがアーム部１５０Ｂ内に入ることによって、ライト保持部材１４０に保持される。
モータハウジング１８の前端開口部の左右には、他の部分より外方へ箱状に突出するライト配置部１８ａが形成されている。左のライト配置部１８ａ内には、ライト保持部材１４０のアーム部１５０Ａ及びライト１３０Ａが入っている。右のライト配置部１８ａ内には、同様にアーム部１５０Ｂ及びライト１３０Ｂが入っている。
【００２５】
ライト１３０Ａ，１３０Ｂは、ＬＥＤ基板１３４，１３４と制御回路基板３３ａとが複数のリード線（ライト線１６０）で接続されることにより、コントローラ３３と電気的に接続されている。
ここでは、制御回路基板３３ａからの１本のライト線１６０がライト１３０ＡのＬＥＤ基板１３４に至り、当該ＬＥＤ基板１３４から別のライト線１６０が出てライト１３０ＢのＬＥＤ基板１３４に至り、当該ＬＥＤ基板１３４から更に別のライト線１６０が出て制御回路基板３３ａに至る。即ち、ＬＥＤ基板１３４，１３４は、制御回路基板３３ａに直列接続される。尚、ＬＥＤ基板１３４，１３４は、制御回路基板３３ａに並列接続されても良い。
ＬＥＤ基板１３４，１３４真際のライト線１６０は、アーム部１５０Ａ，１５０Ｂの折り曲げ部の内側を通過し、スリット１５２に入って保持される。スリット１５２は、径方向外側の開口部が径方向内側の開口部より大きくなっているため、スリット１５２の外側からライト線１６０を受け入れ易く、又受け入れたライト線１６０をしっかり保持する。
スリット１５２内を通って制御回路基板３３ａに向かう２本のライト線１６０は、ライト保持部材１４０の下部においてスリット１５２から離れ、ハンマケース２１の下部外側からモータハウジング１８における本体部４内の部分及びグリップ部６内の部分を通る。
【００２６】
ライト１３０Ａ，１３０Ｂが保持されたライト保持部材１４０は、ハンマケース２１の前後方向における中央部の外面上に設置される。
このとき、ハンマケース２１の各突条２１ｂが、ライト保持部材１４０の対応する凹部１５１Ａ，１５１Ｂ内に入っている。又、ライト保持部材１４０の斜行部１４２Ａ，１４２Ｂにより、上連絡部１４１がハンマケースカバー２５の延設部２５ａ及び左右の突出片２５ｂを回避する。上連絡部１４１は、モータハウジング１８の前端開口部の内面において他の部分より径方向外方に窪むように形成された窪み部１８ｂに入れられている。
ライト１３０Ａ，１３０Ｂ及びライト保持部材１４０は、例えば次のように組立てられる。即ち、組立前の内部部材入りのハンマケース２１の外側に対し、ライト１３０Ａ，１３０Ｂ及びライト線１６０付きのライト保持部材１４０が前から入れられて仮組み（仮位置決め）される。このとき、ライト線１６０は、コントローラ３３（制御回路基板３３ａ）には接続されていない。そして、ハンマケース２１が左モータハウジング１８Ｌにセットされ、ライト保持部材１４０が上述の本来の位置に本位置決めされる。次いで、ライト線１６０が配線のうえコントローラ３３（制御回路基板３３ａ）に接続されて、他の部材が左モータハウジング１８Ｌ及びハンマケース２１にセットされる。続いて、右モータハウジング１８Ｒが被せられて、ネジ２３が入れられる。
【００２７】
次いで、このようなインパクトドライバ１の動作例が説明される。
作業者がグリップ部６を把持してトリガ８を所定引き量以上引くと、スイッチ本体部９における切替を把握したコントローラ３３（制御回路基板３３ａ）により、バッテリ３１からモータ１１への給電がなされる。よって、トリガ８は、スイッチ本体部９を介してモータ１１のオンオフを切替えるものであり、モータ１１のオンオフを操作するスイッチ操作部であって、トリガ８とスイッチ本体部９はモータ１１のスイッチを構成する。
センサ基板５２の磁気センサにより把握されたロータ４２の回転位置に応じ、コントローラ３３（制御回路基板３３ａ）のスイッチング素子が各駆動コイルのスイッチングを行って、ロータ４２（モータ軸５６）がトリガ８の引き量に応じた速度で回転する。
モータ軸５６の回転により、ファン１０が回転して各排気口２４から空気が排気され、各吸気口から各排気口２４への空気の流れ（風）が形成される。その風によって、モータ１１を始めとするインパクトドライバ１の内部機構が冷却される。
更に、モータ軸５６の回転力は、遊星歯車機構１２により減速されてスピンドル１３に伝わり、スピンドル１３の回転力は、ハンマ１６を介してアンビル１７に伝わる。
又、スピンドル１３は、アンビル１７において所定閾値以上のトルクを受けた場合に、ハンマ１６を前後に揺動（打撃）するように案内する。打撃時において、スプリング１４は、その弾性力によりハンマ１６を各打撃毎に復帰させる。
【００２８】
加えて、作業者がグリップ部６を把持してトリガ８を上記所定引き量より小さい特定引き量以上引くと、スイッチ本体部９における切替を把握したコントローラ３３（制御回路基板３３ａ）により、バッテリ３１からライト１３０Ａ，１３０Ｂへの給電がなされる。これにより、ライト１３０Ａ，１３０Ｂが点灯する。このとき、左右のＬＥＤ１３２からの光は、アンビル１７及びビットの左右両側から前方へ照射されるので、照射範囲にアンビル１７及びビットの影が生じ難くなる。よって、作業箇所が確実に照明され、暗所での作業も良好に行える。
特に、ＬＥＤ１３２の光は、ハンマケースカバー２５の後端面の後方から前向きに照射されるため、照射範囲内に位置するハンマケースカバー２５の内部にＬＥＤ１３２の光が通過して、透光性を有するハンマケースカバー２５を発光させる。よって、照明効果がより高くなる。
更に、ライト１３０Ａ，１３０Ｂは、共通のライト保持部材１４０に保持され、又ライト保持部材１４０（ライト取付部１４４Ａ，１４４Ｂ）を介してハンマケース２１の外面上に配置されるため、ハンマ１６等によるハンマケース２１の振動がライト１３０Ａ，１３０Ｂに局所的に加わることが防止され、局所的な振動によるＬＥＤ基板１３４の破壊及びライト線１６０の断線等が防止されて、ライト１３０Ａ，１３０Ｂの耐久性が維持される。
又、ライト１３０Ａ，１３０Ｂは、共通のライト保持部材１４０に保持されるため、組立時にライト１３０Ａ，１３０Ｂがハンマケース２１から脱落する事態が防止され、組立性が良好となる。
コントローラ３３（制御回路基板３３ａ）は、スイッチ本体部９のオフ状態が所定時間維持されると、ライト１３０Ａ，１３０Ｂへの給電を停止して、ライト１３０Ａ，１３０Ｂを消灯する。
尚、ライト１３０Ａ，１３０Ｂがオンとなる際のトリガ８の特定引き量は、モータ１１がオンとなる上記所定引き量と同じであっても良いし、これより大きくても良い。又、ライト１３０Ａ，１３０Ｂは、トリガ８（スイッチ本体部９）による切替に代えて、あるいはその切替と共に、操作パネル３２に設けられたボタン等の専用のスイッチにより切替えられても良い。
【００２９】
以上のインパクトドライバ１は、モータ１１と、モータ１１により駆動される遊星歯車機構１２、スピンドル１３及びハンマ１６と、遊星歯車機構１２、スピンドル１３及びハンマ１６により駆動されるアンビル１７と、遊星歯車機構１２、スピンドル１３及びハンマ１６が入るハンマケース２１と、ハンマケース２１の外方にそれぞれ配置されるライト１３０Ａ，１３０Ｂと、ライト１３０Ａ，１３０Ｂを保持し、ハンマケース２１の外側に配置されるライト保持部材１４０と、を備えている。よって、ライト１３０Ａ，１３０Ｂによって作業箇所が好適に照明され、又ライト保持部材１４０による保持によってライト１３０Ａ，１３０Ｂの耐久性が維持されるインパクトドライバ１が提供される。又、ライト１３０Ａ，１３０Ｂの組立性が良好となる。
又、ライト保持部材１４０は、リング状である。よって、ライト１３０Ａ，１３０Ｂを保持し、ハンマケース２１の外側に配置されるライト保持部材１４０がシンプルに形成される。
更に、ライト１３０Ａ，１３０Ｂの少なくとも一方は、リード線であるライト線１６０と接続されており、ライト保持部材１４０は、ライト線１６０の少なくとも一部を保持する。よって、ライト１３０Ａ，１３０Ｂと共にライト線１６０が保持され、ライト線１６０端部におけるライト１３０Ａ，１３０Ｂとの接続部及びライト線１６０自体における断線が防止されて、ライト１３０Ａ，１３０Ｂの耐久性が維持される。又、ライト線１６０がライト保持部材１４０にまとまり、組立性が更に良好になる。
又更に、ライト１３０Ａは、ハンマケース２１の左方に配置され、ライト１３０Ｂは、ハンマケース２１の右方に配置される。よって、作業箇所が好適に照明されるライト１３０Ａ，１３０Ｂの配置が簡潔に実現される。
加えて、ライト１３０Ａ，１３０Ｂの少なくとも一方は、ＬＥＤ１３２を有している。よって、ライト１３０Ａ，１３０Ｂが低消費電力で輝度の高いものとなる。
【００３０】
尚、本発明の形態は上記形態に限定されず、例えば次のような変更を適宜施すことができる。
ライト保持部材１４０は、帯状といったリング状以外の形状とされても良い。
ライト１３０Ａ，１３０Ｂは、ハンマケース２１の左右以外の外側に配置されても良い。
ライト保持部材１４０は、スリット１５２が省略され、ライト線１６０を保持しないものであっても良い。
【００３１】
遊星歯車機構１２は、ピン７４のキャリア部８０への挿入に代えて、あるいはこれと共に、遊星歯車７２及びキャリア部８０の一方に形成された突起の他方に形成された孔への挿入等とされても良い。又、ピン７４を挿入する孔は、有底の穴とされても良い。
遊星歯車機構１２は、他の減速機構に変更されても良いし、省略されても良い。
モータ１１は、ステータ４１の外側にロータ４２が配置されたアウターロータ型のものであっても良い。又、モータ１１はブラシレスモータ以外のモータであっても良い。６個のスイッチング素子は、コントローラ３３ではなくセンサ基板５２上に配置しても良い。又、スイッチング素子、駆動コイル５０、センサ用永久磁石６２、磁気センサ等の数は、適宜増減することができる。センサ基板５２は、後絶縁部材４８の後方に配置させた状態で、後絶縁部材４８にネジ止めすることも可能である。
モータ軸５６とアンビル１７の間に１又は２以上の中間軸が介装されても良い。
【００３２】
バッテリ３１は、１０．８Ｖ、１４．４Ｖ，１８Ｖ（最大２０Ｖ），２５．２Ｖ，２８Ｖ，３６Ｖ等の任意のリチウムイオンバッテリを用いても良いし、１０．８Ｖ未満あるいは３６Ｖを超える電圧のリチウムイオンバッテリを用いても良いし、他の種類のバッテリを用いても良い。
ハウジング２の区分の数、遊星歯車７２の設置数、減速機構の段数、吸気口、及び排気口２４の数の少なくとも何れかが増減されても良い。又、スイッチ本体部９の形式がトリガ８の形式以外に変更されても良い。同様に、各種部材の数、配置、材質、大きさ、形式等が適宜変更されても良い。
インパクトドライバ１は、ギヤケースを採用し、ハンマ１６及びアンビル１７を省略して、更に例えば２段階の遊星歯車機構等の減速機構部を配置して、減速機構部の出力軸をギヤケースから前方へ突出させて、先端工具を保持する先端工具保持部を出力軸の前部に固定することにより、充電式のドライバドリル又は振動ドライバドリルとすることも可能である。
又、出力軸（先端工具保持部）の方向が軸方向（モータ１１のモータ軸５６の方向及びその回転力を伝達する機構の伝達方向の少なくとも一方）と異なる（略９０度となる）充電式アングル電動工具にも、本発明を適用することができる。
更に、本発明は、インパクトレンチ、スクリュードライバ、ハンマドリル、レシプロソー、あるいは他の充電式の電動工具、商用電源に接続する電動工具、又はクリーナ、ブロワ、又は園芸用トリマを始めとする園芸工具等に適用することができる。
【符号の説明】
【００３３】
１・・インパクトドライバ（電動工具）、１１・・モータ、１２・・遊星歯車機構（動力伝達部）、１３・・スピンドル（動力伝達部）、１６・・ハンマ（動力伝達部）、１７・・アンビル（先端工具保持部）、２１・・ハンマケース（ケース）、１３０Ａ，１３０Ｂ・・ライト（第１，第２のライト）、１３２・・ＬＥＤ、１４０・・ライト保持部材、１６０・・ライト線。
【図１】
2020124792.tif 000003
【図２】
2020124792.tif 000004
【図３】
2020124792.tif 000005
【図４】
2020124792.tif 000006
【図５】
2020124792.tif 000007
【図６】
2020124792.tif 000008
【図７】
2020124792.tif 000009
【図８】
2020124792.tif 000010
【図９】
2020124792.tif 000011